(57)【要約】      （修正有）【課題】検便を採取する際、身体を移動する事無く普通に排便でき、大便のみ採取しやすく残し、清潔に後始末でき、かつ操作が簡単で破れる心配が無く、配管を詰まらせる心配の無い検便採取シートを提供する。【解決手段】便座と少なくても同寸法以上のプラスチックシートの延長上に両手の入る使用後の後処理用袋部分を取り付け、便座に載せるシート部分の四つ角外郭より糞便、小水の重みに耐えられるよう又、便が身体に付くことを避けるため、該シート中心部分に下へのたるみを作るため、該シート中心へ向かい帯状に便座より剥離可能な粘着剤を塗りつけ、又は貼り付けて、更に水分のみを下へ落とすため該シート中心部分に、短い十文字の切り込み、又は小穴を1個ないし数個設けた検便採取シートである。【選択図】図1
0003142759.tif 000002
【実用新案登録請求の範囲】
【請求項１】
便座の平面の、縦、横共に少なくても同寸法以上の長方形のシートであって、該シートの長手方向に2倍となるプラスチックシートを、長手方向の一端を折り返して該シートの長手方向中心まで折りたたみ、2重になった該シート両端部分を閉じ合わせ袋状にし、袋外側の開口部端から袋底へ向け帯状に粘着剤を塗りつけ又は貼り付けた袋部分と、袋開口部が付けられた面の該シートの残り半分の四つ角外郭から、シートの中心に向かってそれぞれ帯状に剥離可能な粘着剤を塗り、又は貼り付け、さらに該シート残り半分の中心部分に長さ1センチメートルの切り込みを十文字に入れた検便採取シート。
【請求項２】
請求項1の検便採取シートでの袋部分以外のシートの中心部分に直径約1センチメートル穴が1個、又は該穴より小さい穴を該シート中心付近に間隔を開け数箇所設けた検便採取シート。
【考案の詳細な説明】
【技術分野】
【０００１】
本考案は、検便などに必要な人の糞便採取が容易で、和式、洋式両便器に使用可能、後片付けが簡単な採取シートに関するものである。
【背景技術】
【０００２】
検便を採取するとき、便器の中に水があり床に紙を敷いたりして採取したが、一緒に小水がしたくても我慢し、又、トイレの床に座り込むスペースが無い場合もあり、不便さを感じながら採取している。
【特許文献１】実公平０７−０３１１７５号公報
【特許文献２】特開２００４−０８５５２０号公報
【考案の開示】
【考案が解決しようとする課題】
【０００３】
検便を採取するとき、普通に排便するときと変わらぬ状態で排便を終え、大便のみ採取しやすく残し、清潔に後始末が出来、かつ、使用時の操作が簡単で、配水管の詰まる心配の無い検便採取用シートを提供することにある。
【課題を解決するための手段】
【０００４】
便座の平面の、縦、横共に最長寸法と少なくても同寸法以上の長方形のシートであって、該シートの長手方向に少なくても2倍以上となるプラスチックシートを、長手方向の一端を折り返して、該シートの長手方向中心まで折りたたみ、折りたたまれた上下両端、図１の、３、4を閉じ合わせ袋状にし、袋の外側開口端から袋底へ向け幅約1センチの長さは少なくても2センチメートル以上の粘着剤を塗り、又は貼り付け、該シートの袋開口部が設けられた面の残り半分の四つ角外郭からそれぞれ、シートの中心に向かい、約1センチメートル幅で長さは少なくても2センチメートル以上の帯状に便座、便器から剥離可能な粘着剤を塗りつけ、又は貼り付け、更にこの残り半分のシート中心部分に、十文字に長さほぼ1センチの切込みを入れ、又は直径約1センチメートルの穴を1個空けるか、もしくは間隔を空け数個の該穴より直径の小さい子穴を設けたものである。使用時は、該シートの袋状になっている方の開口部を裏側にして便器の前方に垂らし、粘着剤の付いているシート部を便座の上に形を合わせて載せ、便座よりはみ出している該シートの四つ角を便座外郭より内側へずらし粘着部分を便座に貼り付け、該シートの切込みが入っている中心部分が便器の中で下へ垂れ下がるようにする。便座の大きさに大小の違いがあるので、大きい便座の場合は該シートの粘着部分を便座のより内側へ移動して貼り付け、便座が小さい場合は該シートの粘着部分を便座のより外側へずらし、該シートの中心部分が便器の底に当たらないように貼り付ける。和式便器の場合は、取り付け要領は洋式便器と変わらぬが、袋部分を後ろ方向に便器外側の床にはわせ、粘着剤が張られた部分は便器に合わせて中心部分を下へへこませ、粘着部分は便器の横幅が狭い場合は便器両サイドの床にはみ出して貼り付ける。
便の採取後は、便座後方部左右の両端の粘着部分を剥がし、シートを便器の中へ垂らし便をすべり落とし、便座前方に垂れている袋の底を上へ起こし、下になった開口から両手を入れ、袋ごと中の手でまだ張り付いている便座前方左右の粘着部分を剥がし、便座中央空間で、静かにシートの汚れている面を左右から内側に折りたたみ、袋の中の両手で袋ごと汚れている部分をつかみコンパクトにし、そのまま袋を裏返し、開口部に設けられた粘着部で閉じると汚れた部分は袋の中に小さくなって入り、両手は汚れず袋から出ていて、この使用済みシートをゴミ箱へ捨てる。この場合和式便器は最初、便器前方の粘着部分を剥がすことになる。
【考案の効果】
【０００５】
該プラスチックシートの粘着部分を四つ角からそれぞれシートの中心に向かい斜めに細長く帯状に設けたことにより、シート上の中心部分にかかる重みに対し、粘着部分が縦方向となり粘着部分が剥がれにくく糞便の重みに耐えることが出来る。又、粘着部分を四つ角に設けることで、シート中心部分を下へ垂らす余裕を創ることが出来、わざわざ形作る必要が無くなる。シートの四つ角を便座の大きい物には便座内側へ、便座の小さいものには便座外側へと移動させ張り付けることで、便座の大きさの違いに対応でき、同様のやり方で該シート中心部分の垂れ下がり具合の調節も出来る。
四つ角外郭が便座中側へ移動した分と、便座より少なくても同等以上の大きさにシートが作られているのでその余裕とで、シート中心部分が下へ垂れることになり、糞便の重みも加わって、糞便が人体に触れることを防ぐことが出来る。
さらに、該シートの中心に小さい十文字の切り込み、又は小穴を1個ないし、複数開けることにより小水がたまる事無く流れ落ち、大便のみ残す事が出来、検便の採取が楽である。
プラスチックのシートであるから、濡れて破れる心配がなく、排便時は途中、排便を止めたり、身体を動かさなくて済み、あせらず気持ちよく排泄しきることが出来る。
シート後方左右両端の粘着部分を剥がし糞便を下へ落とせば、シートがプラスチックなのでほぼ残らず下へ滑り落ち、片付けが楽である。この場合、和式便器は前方の粘着部分を剥がすことになる。
尚、該シート延長上に両手を入れる開口の広い袋を設けたことで、両手を袋に入れたままの状態で後始末が出来、汚れた部分を袋ごと手でつかんだまま袋を裏返すことで汚れた部分が袋の中へ入り込み、同時に両手は汚れずに袋から出るので清潔かつ簡単、匂いも残さずに始末できる。
また、該シートは便器に流さないので配水管の詰まる心配がない。
尚、該シートは形がシンプルで製作は簡単に出来、コストも低価格で出来る。
【考案を実施するための最良の形態】
【０００６】
検便採集のため、シートが濡れて破れる心配を解消し、用便の途中、用便を止め、又身体を移動したりすること無く普通の状態ですっきり排便を終えることができ、大便だけを採集し易く残すという目的を、製作し易い形で実現した。
【実施例１】
【０００７】
洋式便座の前方に検便採取シートの袋部分を、開口口の設けられた側を裏側として垂らし、残りの粘着剤の付いたシート部分を便座に合わせ広げ、はみ出している四つ角を便座中側へ移動させ貼り付ける。便座が大きい場合は四つ角を便座のより中側へ、小さい場合は便座の外側へ移動させ、該シート中心部分の垂れ下がり具合も前記の方法で調節する。
【０００８】
和式便器の場合は、該シートの袋部分の開口口が設けられた側を裏側にして該袋部分を便器後の床へ這わせ、該シート他方の面を便器に合わせ広げ、四つ角を便器の中側へ移動させ該シート中心部分が程よく垂れるよう加減し、便器ないし床に粘着部分を貼り付ける。
【０００９】
使用の際は、該シートの上に座り通常通り排便を終えれば、小水は下へ流れ落ち、大便のみ上に残るので、検便用の便を採取した後、洋式便座は便座後方の左右粘着部分を剥がし、和式便器は前方両サイドの粘着部分を剥がし、シートを下へ垂らし便を落とす。次に洋、和式便器共に袋部分の底を持ち上げ袋開口口より両手を入れ、袋側両サイドの粘着部分を剥がし、袋ごと両手でシートを上へ少し持ち上げシートの汚れた面を中側にたたみ、シート全部を両手の中に入れるように小さくまとめ袋を裏返し、汚れず出てきた手で袋開口部の粘着部分で小さくしたまま閉じてゴミ箱へ捨てる。
【００１０】
このことで、両手は汚れたシートに直接触れる事無く、使用済みのシートは小さくまとめられて匂いも無く清潔に捨てることが出来、配水管を詰まらせる心配も無い。
【産業上の利用可能性】
【００１１】
該シートは、検便を採取すること以外で、水分と混ざるがその水分を除外し採取する目的には利用できるものと思われる。
【図面の簡単な説明】
【００１２】
【図１】袋付き検便採取用シートの平面図である。
【図２】袋付き検便採取用シートの実施図の斜視図である。
【符号の説明】
【００１３】
１    プラスチックシート
２    プラスチックシート長手方向一端
３    袋部分閉じ合わせ部
４    袋部分閉じ合わせ部
５    袋部底
６    粘着剤塗りつけ、又は貼り付け部
７    十文字切込み部
【図１】
0003142759.tif 000003
【図２】
0003142759.tif 000004